(57)【特許請求の範囲】
【請求項１】
煙濃度や温度等のアナログ情報をデジタル変換して火災判定を行い火災受信機に火災発報信号を送信する複数の火災感知器と、前記複数の火災感知器と伝送線を介して接続され前記火災発報信号を受信し報知する火災受信機とで構成し、火災受信機から選択指定された火災感知器又は全火災感知器へマスク・オン信号を送信することにより、同選択指定された火災感知器又は全火災感知器の火災発報信号の送信を禁止することを特徴とする火災警報装置。
【請求項２】
火災受信機から火災感知器へマスク・オフ信号を送信することにより、火災感知器の火災発報信号の送信の禁止を解除することを特徴とする請求項１記載の火災警報装置。
【請求項３】
火災受信機から火災感知器へマスク・オン、マスク・オフ信号を送信し、火災感知器でマスク・オン、マスク・オフの制御命令を実行の後、火災感知器から制御命令の実行完了を火災受信機に返信することを特徴とする請求項１又は２記載の記載の火災警報装置。
【請求項４】
火災感知器毎に個別のアドレスを付与し、火災受信機からの火災感知器へのマスク・オン、マスク・オフ信号は、個別アドレス毎に又は一斉に送信制御することを特徴とする請求項１又は２記載の火災警報装置。
【請求項５】
煙感知器における火災の判定にあたり、火災による煙と、火災以外の煙や粒子とを判別する機能をマイコン部に具備し、煙検知出力がある設定されたレベル以上となったとき、そのレベルに至るまでの煙濃度変化のデータと、あらかじめ作成してある火災データ、非火災データとの照合を行って火災、非火災の判断結果を火災受信機へ送信することを特徴とする請求項１〜４のいずれか一つに記載の火災警報装置。
【発明の詳細な説明】
【０００１】
【発明の属する技術分野】
本発明は、火災警報装置に関する。
【０００２】
【従来の技術】
図２に示すように、火災警報装置１は、火災感知器１０において煙濃度や温度に相当する検出電圧ＶS をマイコン部１３にてアナログ／デジダル変換をし、火災受信機２０からの呼び出し時に、火災感知器１０のアドレス信号とともに、そのときのアナログ情報を火災受信機２０に送信している。前記の呼び出しは、火災受信機２０から時分割多重伝送等の伝送により、順次、火災感知器１０を呼び出しその都度前記アナログ情報を火災受信機２０へ送信し、火災受信機２０でアナログ情報のレベルと各基準とを比較し、予報、火災発報、連動報等の判断、及び報知を行っている。
【０００３】
ところで、火災警報装置の設置後において、建物の内装工事等による粉塵により複数の火災感知器から火災レベルのアナログ情報が発生することがある。その対策として、各火災感知器１０から火災に相当するアナログ情報が火災受信機２０に送信されても、火災受信機２０側にて発報の報知をしないように設定できるようになっている。
【０００４】
【発明が解決しようとする課題】
しかし、上記の火災警報装置１は、通常の火災監視時においても、各火災感知器１０のアナログ情報を火災受信機２０にて逐次受信して、火災判断をしているため、火災受信機２０では、ソフトの負担が大きく、高速のＣＰＵ処理が必要となる。
【０００５】
特に、前記の内装工事等の際には、各火災感知器１０から一斉に火災発報レベルのアナログ情報が送信されてくる場合があり、火災受信機２０では、火災レベルの判断や、火災の表示制御、表示のための感知器アドレスと地区との読み替えや、発報感知器と連動する防火戸等の機器対照とその制御、プリンタの制御等の一連の処理を短時間に処理する必要が生じ、火災受信機２０において、一層、ＣＰＵ処理速度の速いものが要求されることになる。このような状況にも対処できる火災受信機２０とするには更に高速ＣＰＵが必要となり価格もアップする。
【０００６】
本発明は上記の問題点を解決するためになされたものであり、その目的とするところは、火災感知器の火災発報信号送出を禁止できる火災警報装置を提供することにある。
【０００７】
【課題を解決するための手段】
前記の課題を解決するために、請求項１記載の発明では、煙濃度や温度等のアナログ情報をデジタル変換して火災判定を行い火災受信機に火災発報信号を送信する複数の火災感知器と、前記複数の火災感知器と伝送線を介して接続され前記火災発報信号を受信し報知する火災受信機とで構成し、火災受信機から選択指定された火災感知器又は全火災感知器へマスク・オン信号を送信することにより、同選択指定された火災感知器又は全火災感知器の火災発報信号の送信を禁止する。
【０００８】
請求項２記載の発明では、火災受信機から火災感知器へマスク・オフ信号を送信することにより、火災感知器の火災発報信号の送信の禁止を解除する。
【０００９】
請求項３記載の発明では、火災受信機から火災感知器へマスク・オン、マスク・オフ信号を送信し、火災感知器でマスク・オン、マスク・オフの制御命令を実行の後、火災感知器から制御命令の実行完了を火災受信機に返信する。
【００１０】
請求項４記載の発明では、火災感知器毎に個別のアドレスを付与し、火災受信機からの火災感知器へのマスク・オン、マスク・オフ信号は、個別アドレス毎に又は一斉に送信制御する。
【００１１】
請求項５記載の発明では、煙感知器における火災の判定にあたり、火災による煙と、火災以外の煙や粒子とを判別する機能をマイコン部に具備し、煙検知出力がある設定されたレベル以上となったとき、そのレベルに至るまでの煙濃度変化のデータと、あらかじめ作成してある火災データ、非火災データとの照合を行って火災、非火災の判断結果を火災受信機へ送信する。
【００１２】
【発明の実施の形態】
本発明の実施の形態を図１に基づいて詳細に説明する。尚、従来例と実質的に同じ機能を有する部材には同じ符号を付してある。
【００１３】
本発明の火災警報装置１は、火災感知器として、熱感知器や煙感知器１０，…１０を、時分割多重伝送等の伝送線Ｌを介して接続している。そして煙感知器１０の内部回路は、煙を検出するための発光素子（図示せず）と受光素子１１を有しており、その後段に煙検知回路１２、マイコン部１３、及び送信回路１４、受信回路１５を具備している。
【００１４】
煙感知器１０は、受光素子１１において煙を検出すると、煙の濃度に対応した煙検知電圧出力ＶS を次段のマイコン部１３に出力する。マイコン回路１３の主機能は火災判定を行うものであり、そのためのしきい値を記憶保持している。
【００１５】
本発明の実施の形態では、火災の判定にあたり、火災本来の煙と、たばこの煙、水蒸気などを区別して判断する機能をマイコン部１３に形成している。煙検知出力ＶS が、ある設定されたレベル以上となると、それまでの過去３分間程度の煙濃度変化のデータを、上昇傾向、分布状況、平均濃度などの数値データに変換する。そしてあらかじめ記憶してある、火災のルール、たばこのルール、水蒸気のルールと照合し、火災であるか否かを推論し、火災、非火災（たばこ、水蒸気）の判断を行うようにしている。そして火災の可能性があるなら、発報までの蓄積期間を短縮してより早期に、送信回路１４から火災受信機２０へ火災発報信号を送信する。一方、非火災の可能性が高いと判断した場合には、蓄積時間を長くし、この間に煙濃度が低下すれば、非火災と判断して火災受信機２０への発報新号送信は行わない。
【００１６】
尚、短時間において、粉塵が煙感知器１０に入り込む場合は、火災との見分けがつきにくく、後述するマスク機能で対処する必要がある。
【００１７】
また、火災受信機２０は、図示しないが、信号の送受信回路、火災受信回路、火災表示回路、ＣＰＵ回路、操作入力回路等を具備し、前記の煙感知器１０、１０からの火災発報信号を受信して、火災音の鳴動や火災表示により報知する機能を具備している。
【００１８】
次に、マスク機能について説明する。マスク機能は、前記の煙感知器１０が火災の判定をした場合において、火災受信機２０への送信をするのを禁止する機能であり、火災受信機２０において設定をする。火災受信機２０では、各火災感知器１０，…１０に付与してあるアドレス毎に、又は全火災感知器に対して一斉に、マスク・オンの制御命令信号を送信する機能を有している。火災感知器１０では、火災受信機２０からの前記マスク・オン信号を受信回路１５にて受信し、マイコン部１３にて制御命令を実行し、火災判定をしても火災受信機２０へ送信しないようにマイコン部１３に設定する。この際、送信回路１４から、火災感知器１０においてマスク・オンが実行されたことを、火災受信機２０へ返信する。火災受信機２０で、マスク・オンの実行完了信号を受信して、メモリに記憶して必要な場合はマスク・オンの火災感知器群を表示する。
【００１９】
マスク・オン信号は、例えば、８ビットの１，０信号の組み合わせ一つとして信号化してあり、火災受信機２０から煙感知器１０へ送信される。この８ビットの１，０信号は前記の他に下記の信号に使用される。すなわち火災感知器１０からの信号を、火災判定結果信号からアナログ情報に切り替える場合、設置した火災感知器が１種であるか、２種であるか等の種別信号を要求信号する場合、火災感知器の動作確認灯の点灯制御をする場合、火災発報を受信する時間帯と火災感知器の診断時間帯の切り替えをする場合、等にも使用することができる。
【００２０】
上記のマスク・オン信号は、感知器の設置後、建物の内装工事等による粉塵等により感知器が誤発報する可能性がある場合に、これを防止するために使用する。マスク・オン信号は、前述のように特定の感知器アドレスを選択指定してもよいし、グループ化された感知器アドレス群を一括選択指定することができるようになっている。また、全感知器に一斉にマスク・オンを送信することもでき、内装工事の状況に応じて、細かく対応できる。
【００２１】
内装工事等が終了すれば、火災受信機２０からマスク・オフ信号を各感知器に送信して、通常の火災監視を行うことができる。このマスク・オフ信号も特定の感知器アドレス、グループ化された感知器アドレス群、全感知器に一斉の区分を選択して送信することができる。
【００２２】
尚、マスク・オフ後に、粉塵による汚れが残存する煙感知器１０については、煙感知器１０のボディ、カバーを分離開放して、光学室の清掃を行うことができる。
【００２３】
以上のように、このマスク・オン、オフ機能を使用すれば、上記誤発報を防止できるとともに、従来例のように、各火災感知器１０のアナログ情報が、一挙に火災受信機２０に送信されて、火災受信機２０のＣＰＵ回路が処理できなくなるようなことがなくなる。
【００２４】
また、煙感知器１０において、火災判定を行い、その結果を火災受信機２０へ送信するようにしているので、従来のようにアナログ情報を逐次火災受信機２０へ送出する場合と比較して、火災受信機２０のソフト処理の速度を必要としない。
【００２５】
【発明の効果】
請求項１記載の発明によれば、建物の内装工事などの場合に、火災受信機から火災感知器にマスク・オンの送信を行うと、各火災感知器から火災発報信号が送信されなくなるため、火災受信機側で大量の情報処理を行う必要がなくなりＣＰＵの速度が遅くてもよくコストダウンも可能となるという効果を奏する。
【００２６】
請求項２記載の発明によれば、請求項１の効果に加えて、マスク・オンの制御、及びマスク・オフの制御が火災受信機２０から行えるので、建物の内装工事等の進展状況により、中央に設置した火災受信機から遠隔的に管理できるという効果を奏する。
【００２７】
請求項３記載の発明によれば、請求項１又は２の発明の効果に加えて、マスク・オン、オフの制御が、火災感知器において確実になされたことの確認が火災受信機で行えるという効果を奏する。
【００２８】
請求項４記載の発明によれば、請求項１又は２の効果に加えて、火災受信機から必要な感知器のみ特定してマスク・オン、マスク・オフが行え、また全感知器一斉にマスク・オン、マスク・オフを行うことができるという効果を奏する。
【００２９】
請求項５記載の発明によれば、請求項１〜４のいずれか一つの効果に加えて、火災と非火災の判断を火災感知器側で行うので、各感知器からアナログ情報を火災受信機に送信することがなく、火災受信機のソフト処理の負担が少なくなるという効果を奏する。
【図面の簡単な説明】
【図１】本発明の実施の形態の火災警報装置の回路図である。
【図２】従来例の火災警報装置の回路図である。
【符号の説明】
１      火災警報装置
１０    火災感知器としての煙感知器
１３    マイコン部
２０    火災受信機
Ｌ      伝送線
【図１】
0003684743.tif 000002
【図２】
0003684743.tif 000003